【手続補正書】
【提出日】令和3年3月1日(2021.3.1)
【手続補正１】
【補正対象書類名】特許請求の範囲
【補正対象項目名】請求項１
【補正方法】変更
【補正の内容】
【請求項１】
基板に搭載されるコネクタであって、
カバーと、ハウジングと、複数の端子列とを備えており、
前記ハウジングは、複数のカード接点を有するカードを収容する収容部を有しており、
前記ハウジングには、二つの軸受容部と、二つのロック部が設けられており、
前記ロック部は、前後方向において前記軸受容部より前方に位置しており、
前記軸受容部は、前記前後方向と直交する横方向において互いに離れて位置しており、
前記ロック部は、前記横方向において互いに離れて位置しており、
前記ハウジングは、絶縁体部と、フレームとを備えており、
前記絶縁体部は、前記端子列を保持しており、
前記絶縁体部は、部分的に露出させた状態で前記フレームを保持しており、
前記フレームは、金属からなる一体物であり、かつ複数の被固定部と、二つの第１接触部と、二つの第２接触部と、複数の第３接触部と、複数の支持バネ部とを有しており、
前記第１接触部は、前記軸受容部に夫々対応しており、
前記第１接触部は、対応する前記軸受容部内に露出しており、
前記第２接触部は、前記ロック部に夫々対応しており、
前記支持バネ部は、弾性を有し、かつ前記前後方向において前記第１接触部と前記第２接触部との間に位置しており、
前記第３接触部は、前記支持バネ部に夫々支持されており、
前記第３接触部は、前記支持バネ部の前記弾性により、少なくとも前記前後方向と直交する方向において移動可能であり、
前記被固定部は、前記コネクタが前記基板に搭載された際に、前記基板上に固定されるものであり、
前記前後方向において、前記第１接触部と前記第３接触部との間には、少なくとも一つの前記被固定部が設けられており、
前記前後方向において、前記第２接触部と前記第３接触部との間には、少なくとも一つの前記被固定部が設けられており、
前記端子列の夫々は、前記横方向に並べられた複数の端子からなり、
前記端子の夫々は、接点と、支持部とを有しており、
前記接点は前記収容部内に位置しており、
前記支持部は、弾性を有し、かつ前記接点を支持しており、
前記接点は、前記支持部の前記弾性により、少なくとも前記前後方向と前記横方向の双方と直交する上下方向に移動可能であり、
前記カードが前記収容部に収容されると、前記接点は前記カード接点によって前記上下方向において下方へ押し下げられ、かつ前記支持部の反力により上向きの力を受け、
前記カバーは、金属からなり、かつ主部と、二つの軸部と、二つの第１カバー接点と、二つの被ロック部と、二つの第２カバー接点とを有しており、
前記軸部は、前記横方向において前記主部の外側に位置しており、
前記軸部は、前記軸受容部に夫々受容されており、それによって前記カバーは、開位置、閉位置及びロック位置のいずれかに位置することができるように前記ハウジングに取り付けられており、
前記カバーは、前記開位置と前記閉位置との間で、前記軸部を軸として回転移動可能であり、
前記カバーは、前記閉位置と前記ロック位置との間で、前記前後方向において移動可能であり、
前記ロック位置にあるとき、前記カバーの前記主部は、前記ハウジングの上方又は上部に位置し、かつ前記収容部を覆っており、
前記カバーが前記ロック位置にあるとき、前記軸部は、前記第１接触部の下方に位置し、かつ前記上下方向において前記第１接触部と対向しており、
前記被ロック部は、前記横方向において前記主部の外側に位置しており、
前記カバーが前記ロック位置にあるとき、前記被ロック部は、前記前後方向において前記軸部よりも前方に位置しており、
前記第２カバー接点は、前記横方向において前記主部の外側に位置しており、
前記カバーが前記ロック位置にあるとき、前記第２カバー接点は、前記第２接触部の下方に位置し、かつ前記上下方向において前記第２接触部と対向しており、
前記カバーが前記閉位置にあるとき、前記第１カバー接点は、前記第３接触部に接触しておらず、
前記カバーが前記ロック位置にあるとき、前記第１カバー接点は、前記第３接触部に接触している
コネクタ。
【手続補正２】
【補正対象書類名】明細書
【補正対象項目名】０００２
【補正方法】変更
【補正の内容】
【０００２】
特許文献１は、収容したカード型デバイスで発生した熱をコネクタが搭載される基板へ逃がす構造を持つコネクタを開示している。図１６に示されるように、特許文献１のコネクタ９０は、コネクタ本体（ハウジング）９１とカバー部材（カバー）９２とを備えている。コネクタ本体９１は、使用時に基板（図示せず）に実装される。カバー部材９２は、コネクタ本体９１に開閉可能に取り付けられている。コネクタ本体９１には、伝熱部材９１１が設けられている。伝熱部材９１１は、コネクタ９０が搭載される基板に接合される。カバー部材９２には、放熱用舌片９２１と垂下部９２３とが形成されている。放熱用舌片９２１は、バネ性を有している。カバー部材９２を閉じると、放熱用舌片９２１がカード型デバイス（図示せず）に接触するとともに、垂下部９２３が伝熱部材９１１に圧接する。その結果、カード型デバイスで発生した熱は、カバー部材９２の放熱用舌片９２１及び下部９２３と、コネクタ本体９１の伝熱部材９１１とを介して基板へと伝えられる。
【手続補正３】
【補正対象書類名】明細書
【補正対象項目名】０００８
【補正方法】変更
【補正の内容】
【０００８】
詳しくは、本発明は、第１のコネクタとして、基板に搭載されるコネクタであって、
カバーと、ハウジングと、複数の端子列とを備えており、
前記ハウジングは、複数のカード接点を有するカードを収容する収容部を有しており、
前記ハウジングには、二つの軸受容部と、二つのロック部が設けられており、
前記ロック部は、前後方向において前記軸受容部より前方に位置しており、
前記軸受容部は、前記前後方向と直交する横方向において互いに離れて位置しており、
前記ロック部は、前記横方向において互いに離れて位置しており、
前記ハウジングは、絶縁体部と、フレームとを備えており、
前記絶縁体部は、前記端子列を保持しており、
前記絶縁体部は、部分的に露出させた状態で前記フレームを保持しており、
前記フレームは、金属からなる一体物であり、かつ複数の被固定部と、二つの第１接触部と、二つの第２接触部と、複数の第３接触部と、複数の支持バネ部とを有しており、
前記第１接触部は、前記軸受容部に夫々対応しており、
前記第１接触部は、対応する前記軸受容部内に露出しており、
前記第２接触部は、前記ロック部に夫々対応しており、
前記支持バネ部は、弾性を有し、かつ前記前後方向において前記第１接触部と前記第２接触部との間に位置しており、
前記第３接触部は、前記支持バネ部に夫々支持されており、
前記第３接触部は、前記支持バネ部の前記弾性により、少なくとも前記前後方向と直交する方向において移動可能であり、
前記被固定部は、前記コネクタが前記基板に搭載された際に、前記基板上に固定されるものであり、
前記前後方向において、前記第１接触部と前記第３接触部との間には、少なくとも一つの前記被固定部が設けられており、
前記前後方向において、前記第２接触部と前記第３接触部との間には、少なくとも一つの前記被固定部が設けられており、
前記端子列の夫々は、前記横方向に並べられた複数の端子からなり、
前記端子の夫々は、接点と、支持部とを有しており、
前記接点は前記収容部内に位置しており、
前記支持部は、弾性を有し、かつ前記接点を支持しており、
前記接点は、前記支持部の前記弾性により、少なくとも前記前後方向と前記横方向の双方と直交する上下方向に移動可能であり、
前記カードが前記収容部に収容されると、前記接点は前記カード接点によって前記上下方向において下方へ押し下げられ、かつ前記支持部の反力により上向きの力を受け、
前記カバーは、金属からなり、かつ主部と、二つの軸部と、二つの第１カバー接点と、二つの被ロック部と、二つの第２カバー接点とを有しており、
前記軸部は、前記横方向において前記主部の外側に位置しており、
前記軸部は、前記軸受容部に夫々受容されており、それによって前記カバーは、開位置、閉位置及びロック位置のいずれかに位置することができるように前記ハウジングに取り付けられており、
前記カバーは、前記開位置と前記閉位置との間で、前記軸部を軸として回転移動可能であり、
前記カバーは、前記閉位置と前記ロック位置との間で、前記前後方向において移動可能であり、
前記ロック位置にあるとき、前記カバーの前記主部は、前記ハウジングの上方又は上部に位置し、かつ前記収容部を覆っており、
前記カバーが前記ロック位置にあるとき、前記軸部は、前記第１接触部の下方に位置し、かつ前記上下方向において前記第１接触部と対向しており、
前記被ロック部は、前記横方向において前記主部の外側に位置しており、
前記カバーが前記ロック位置にあるとき、前記被ロック部は、前記前後方向において前記軸部よりも前方に位置しており、
前記第２カバー接点は、前記横方向において前記主部の外側に位置しており、
前記カバーが前記ロック位置にあるとき、前記第２カバー接点は、前記第２接触部の下方に位置し、かつ前記上下方向において前記第２接触部と対向しており、
前記カバーが前記閉位置にあるとき、前記第１カバー接点は、前記第３接触部に接触しておらず、
前記カバーが前記ロック位置にあるとき、前記第１カバー接点は、前記第３接触部に接触している
コネクタを提供する。
【手続補正４】
【補正対象書類名】明細書
【補正対象項目名】００１２
【補正方法】変更
【補正の内容】
【００１２】
また、本発明は、第５のコネクタとして、第１から第４のコネクタのいずれかであって、
前記閉位置にある前記カバーを、前記前後方向において前方に移動させると、前記カバーは前記ロック位置に移行する
コネクタを提供する。
【手続補正５】
【補正対象書類名】明細書
【補正対象項目名】００１３
【補正方法】変更
【補正の内容】
【００１３】
また、本発明は、第６のコネクタとして、第１から第５のコネクタのいずれかであって、
前記ハウジングは、前記前後方向において後方に張り出した二つ張出部を有しており、
前記ロック部は、前記張出部に夫々設けられており、
前記カバーが前記閉位置から前記ロック位置に移動する際に、前記被ロック部は、前記上下方向において前記張出部の下側に移動する
コネクタを提供する。
【手続補正６】
【補正対象書類名】明細書
【補正対象項目名】００１５
【補正方法】変更
【補正の内容】
【００１５】
本発明のコネクタにおいて、ハウジングのフレームは第１接触部、第２接触部及び第３接触部を有している。第２接触部及び第３接触部は、カバーの開閉操作の間においてカバーに接触せず、カバーが閉位置からロック位置に移行するとカバーに接触する。これにより、カバーの開閉操作を妨げることなく、カバーからハウジングへの熱伝達経路を形成できる。
【手続補正７】
【補正対象書類名】明細書
【補正対象項目名】００５０
【補正方法】変更
【補正の内容】
【００５０】
上述したように、フレーム２６に設けられた第１接触部２６８、第２接触部２７０及び第３接触部２７２は、カバー４０の軸部４３０、第２カバー接点４５０及び第１カバー接点４２６に夫々接触している（図８、図１３及び図１４参照）。これにより、カード７０（図４参照）で発生し、カバー４０に伝わった熱は、軸部４３０、第２カバー接点４５０及び第１カバー接点４２６から、フレーム２６の第１接触部２６８、第２接触部２７０及び第３接触部２７２へ夫々伝わる（図８、図１３及び図１４参照）。こうして、カバー４０からフレーム２６へと伝わった熱は、複数の被固定部２６６（図６参照）を介して基板（図示せず）へ伝えられる。